(57)【要約】【課題】原稿載置トレイに載置された平面状態にない原稿のサイズを、ユーザによる特別のモード設定作業が無くても、自動的に正確に検知できるようにした画像形成装置の提供。【解決手段】原稿載置トレイ上に載置された原稿のサイズを検知する第１原稿サイズ検知手段と、搬送中の前記原稿の搬送方向のサイズを検知する第２原稿サイズ検知手段とを有する自動原稿送り装置を備え、制御手段が前記第１原稿サイズ検知手段の情報に基づき、第２原稿サイズ検知手段からの情報を採否して原稿サイズの判定を行い、原稿画像の読み取りを実行するように制御することを特徴とする画像形成装置。【選択図】        図３
2004347926.tif 000002
【特許請求の範囲】
【請求項１】
原稿載置トレイ上に載置された原稿のサイズを検知する第１原稿サイズ検知手段と、搬送中の前記原稿の搬送方向のサイズを検知する第２原稿サイズ検知手段とを有する自動原稿送り装置を備え、制御手段が前記第１原稿サイズ検知手段の情報に基づき、第２原稿サイズ検知手段からの情報を採否して原稿サイズの判定を行い、原稿画像の読み取りを実行するように制御することを特徴とする画像形成装置。
【請求項２】
前記第１原稿サイズ検知手段は、原稿載置トレイの原稿載置面と、載置された原稿の下面との距離を検知するための原稿検知センサを有し、制御手段は前記原稿検知センサにより検知された距離情報を基に、前記第２原稿サイズ検知手段からの情報を採否することを特徴とする請求項１に記載の画像形成装置。
【請求項３】
制御手段が前記距離情報に基づき第２原稿サイズ検知手段の情報の採否を判定するための判定基準値を、画像形成装置本体、もしくは自動原稿送り装置の操作表示手段にて設定できることを特徴とする請求項２に記載の画像形成装置。
【発明の詳細な説明】
【０００１】
【発明の属する技術分野】
本発明は、原稿のサイズを検知するための原稿サイズ検知手段を備えた自動原稿送り装置を有する、複写機やファクシミリ等の画像形成装置に関する。
【０００２】
【従来の技術】
ユーザが画像形成作業を能率的に行えるように、多くの画像形成装置には自動原稿送り装置が付属装置として備えられている。この自動原稿送り装置には、複数枚の原稿を載置するための原稿載置トレイがあり、この原稿載置トレイ上に載置された原稿は、一枚ずつに分離されて、画像形成装置の原稿画像読み取り手段により原稿画像の読み取りが行われる場所である原稿画像読み取り位置まで搬送され、原稿画像の読み取りがなされた後、原稿排紙トレイに排紙される。
【０００３】
このような自動原稿送り装置には、原稿のサイズを検知するための原稿サイズ検知手段が設けられており、この検知手段により得られた原稿サイズ情報に基づき、画像形成装置の制御手段は原稿画像読み取り手段の原稿画像読み取り範囲の設定や、給紙手段に準備されている複数サイズの用紙から当該の画像形成作業に適合した用紙サイズの選択のための制御を行う。
【０００４】
しかしながら、原稿載置トレイ上に載置された原稿は、原稿サイズ検知に都合の良い平面状態にあるものばかりでなく、カールにより端部が持ち上がったもの、あるいは、中折りやＺ折りがなされ、その折り癖が強く残り、ある部分が原稿載置トレイから浮いた状態にあるものも多い。
【０００５】
このような原稿により原稿サイズ検知が不正確になることを防止するために、原稿を載置する原稿載置トレイ、および原稿搬送路の両方に原稿サイズ検知手段を設けて原稿サイズをより正確に行う提案もなされている（例えば、特許文献１、特許文献２参照。）。
【０００６】
ところが、搬送路における原稿サイズの検知は、原稿の先頭から、終端までが原稿サイズ検知手段を通過することにより、あるいは、少なくとも終端が原稿サイズ検知手段を通過することにより可能となることから、一旦、原稿のサイズを検知するための原稿搬送を行い、その後に原稿読み取りの搬送を実行することから画像形成装置の処理能力が大幅に低下してしまう。また、場合によっては、原稿載置トレイに載置された状態で検知された原稿サイズと、搬送路において検知された原稿サイズとが一致せず、画像形成装置の動作を一旦停止させることも必要になることもある。
【０００７】
このような問題への対応として、画像形成作業の開始に際して、予め、ユーザが原稿載置トレイにある原稿サイズ検知手段ではサイズ検知が困難か否かを判断して、困難と判断した場合には、画像形成装置の操作表示手段にて所定のモードを選択する指示設定をすることにより、原稿搬送路にある原稿サイズ検知手段を有効にするようにした画像形成装置も市場に提供されている。この方法は、ユーザが所定のモードを選択するための設定を忘れた場合、あるいは判断を間違えた場合には期待したハードコピーが出力されない事態を招く危険性があり、ユーザにとって容易な使いやすいシステムとは言い難い。
【０００８】
【特許文献１】
特開２０００−３１０９号公報（第１−２頁、第４図）
【０００９】
【特許文献２】
特開２００２−１８２３２０号公報（第１−３頁、第７図）
【００１０】
【発明が解決しようとする課題】
本発明は、上述のような状況に鑑みてなされたもので、その目的は、多少の浮きのある原稿であっても、原稿載置トレイ上に載置された状態で、原稿サイズの検知ができるようにすることにより、原稿サイズ検知のためのみに行う原稿搬送の発生頻度を下げ、画像形成装置の処理能力の低下を防止すると共に、原稿載置トレイに設けられた原稿サイズ検知手段では原稿サイズ検知を正確に行うことが困難と思われる浮きの多い原稿の場合には、自動的に原稿搬送路に設けられた原稿サイズ検知手段によるサイズ情報を採用して原稿サイズを正確に検知できるようにすることによって、従来行われていたような、画像形成作業に先立って、ユーザが原稿サイズ検知が困難であるか否かを判断し、操作表示手段を用いて行っていたモード設定等の作業を不要にすることによって画像形成装置の使い勝手を向上させることにある。
【００１１】
【課題を解決するための手段】
上記課題は以下の手段により達成される。
【００１２】
（１）  原稿載置トレイ上に載置された原稿のサイズを検知する第１原稿サイズ検知手段と、搬送中の前記原稿の搬送方向のサイズを検知する第２原稿サイズ検知手段とを有する自動原稿送り装置を備え、制御手段が前記第１原稿サイズ検知手段の情報に基づき、第２原稿サイズ検知手段からの情報を採否して原稿サイズの判定を行い、原稿画像の読み取りを実行するように制御することを特徴とする画像形成装置。
【００１３】
（２）  前記第１原稿サイズ検知手段は、原稿載置トレイの原稿載置面と、載置された原稿の下面との距離を検知するための原稿検知センサを有し、制御手段は前記原稿検知センサにより検知された距離情報を基に、前記第２原稿サイズ検知手段からの情報を採否することを特徴とする（１）に記載の画像形成装置。
【００１４】
（３）  制御手段が前記距離情報に基づき第２原稿サイズ検知手段の情報の採否を判定するための判定基準を、画像形成装置本体、もしくは自動原稿送り装置の操作表示手段にて設定できることを特徴とする（２）に記載の画像形成装置。
【００１５】
【発明の実施の形態】
最初に、本発明による自動原稿送り装置を備えた電子写真方式の画像形成装置を使用して、原稿載置トレイに載置された原稿の画像を、給紙手段から給送された用紙上に画像形成をするプロセスの説明をする。なお、本発明が適用される画像形成装置は、電子写真方式の画像形成装置に限らず、インクジェット方式による画像形成装置等、他の技術方式でも何ら差し支えはない。
【００１６】
図１は本発明による自動原稿送り装置を備えた画像形成装置を説明するための模式図である。
【００１７】
画像形成装置は、画像形成装置本体Ａと、この上部に付属装置として取り付けられている自動原稿送り装置Ｆとから構成されている。また、前記画像形成装置本体Ａは、原稿画像読み取り手段３、画像書き込み手段４、画像形成手段５、定着手段６、給紙手段７、制御手段Ｃ１等から構成されている。
【００１８】
自動原稿送り装置Ｆの原稿載置トレイ２１１の上には、原稿Ｄが載置される。載置された前記原稿Ｄは、原稿押圧板２１によって送り出しローラ２２に押圧され、送り出しローラ２２および給紙ローラ２３の作動により一枚ずつ送り出され、第２原稿サイズ検知手段ＤＳ２の原稿検知センサＰＳ４０により原稿Ｄの先端が検出されて、先端がレジストローラ２４に突き当てられ、一旦停止させられることにより先端が整えられる。
【００１９】
レジストローラ２４の回転により原稿搬送路に送り出された原稿Ｄは、ガイド部材２１３に導かれて進行し、さらに第１搬送ローラ２５にて画像形成装置本体Ａに設けられたスリットガラス３６のある原稿画像読み取り位置に向け搬送される。
【００２０】
搬送された原稿Ｄは、前記原稿画像読み取り位置の直前の原稿搬送路に設けてある原稿検知センサＰＳ２により先端が検知され、この検知信号を基に原稿先端が原稿画像読み取り位置に到達する時機と、原稿画像読み取り手段３による原稿画像の読み取り開始時機とのタイミングがとられる。
【００２１】
スリットガラス３６の上面を通過しながら原稿画像の読み取りが行われた原稿Ｄは第２搬送ローラ２６、排紙ガイドＧ１、排紙ローラ２７により原稿排紙トレイ２１２に排紙される。
【００２２】
なお、原稿Ｄの両面の画像を読み取る場合には、先ず原稿Ｄの第２面（裏面）の画像が読み取られ、次いで、第１面（表面）が読み取られる。この場合、レジストローラ２４から送り出された原稿Ｄは、反転ガイドＧ２により反転ローラ２９に向け進行し、さらに、反転出口ローラ２８により原稿排紙トレイ２１２の上部へと進行する。
【００２３】
前記原稿Ｄの後端は、原稿検知センサＰＳ４０により検知され、後端が、反転ローラ２９の近傍に到達したときに、反転ローラ２９、反転出口ローラ２８の回転が停止されるようになっている。
【００２４】
次に、前記反転ローラ２９、前記反転出口ローラ２８の逆転により、前記原稿Ｄは、それまでの終端を先頭にして表裏が逆転した状態で反転ガイドＧ２に導かれて、第１搬送ローラ２５に送られる。送られた原稿Ｄの第２面は、原稿画像読み取り手段３により、既に説明をした原稿Ｄの片面の読み取りの場合と同様な読み取りがなされた後、排紙ガイドＧ１に導かれて、再度、反転出口ローラ２８に送られる。この時、原稿Ｄの後端が反転出口ローラ２８の位置に残っているが、反転出口ローラ２８の圧着が所定時間解除されるため、原稿Ｄの先端と後端は前記位置にてすれ違いに搬送される。読み取り終了後の原稿Ｄはその後端が、圧着状態に戻った反転出口ローラ２８によって挟持された後、反転ローラ２９に向けて搬送され、反転ローラ２９により原稿画像読み取り位置へと送り出される。送り出された原稿Ｄは、表裏が反転されているので、今回は第１面の画像が読み取られて、原稿搬送トレイ２１２に排出される。
【００２５】
原稿画像読み取り手段３による原稿画像の読み取りは、自動原稿送り装置Ｆにより搬送されている原稿Ｄの画像を、スリットガラス３６の直下にて停止している光源３１１と、ミラー３１２とからなる第１ミラーユニット３１と、ミラー３２１とミラー３２２を備える第２ミラーユニット３２と、結像レンズ３３とにより光学的に導いて、ライン状のＣＣＤである撮像素子３４に結像させることにより行われる。
【００２６】
なお、プラテンガラス３５に原稿Ｄを載置して画像情報を読み取る場合には、原稿画像を光第１ミラーユニット３１と第２ミラーユニット３２の移動による原稿画像面の走査と、結像レンズ３３とにより光学的に導いて、撮像素子３４に結像させる。
【００２７】
原稿画像読み取り手段３において読取られた原稿Ｄの画像情報は原稿画像処理手段６２にてＡ／Ｄ変換、シェーディング補正、画像圧縮等の画像処理が行われて、一旦、画像データとして制御手段Ｃ１のメモリＭ１に記憶される。
【００２８】
前記画像データはメモリＭ１より呼び出されて画像書込手段４に送られて、帯電器４２により電荷を付与されて回転している感光体ドラム４１の表面を、レーザビームＬＢが、回転するポリゴンミラーＰＧにより主走査方向の走査することによって、前記感光体ドラム４１の面上には原稿の画像データに対応した静電潜像が形成される。
【００２９】
公知の電子写真技術で構成されている画像形成手段５において、前記静電潜像は現像手段４４により反転現像されて、トナー画像が感光体ドラム４１上に形成される。
【００３０】
一方、手差し給紙手段２６、または、用紙Ｐを収容する給紙手段７の各給紙カセットから給紙された用紙Ｐは、搬送ローラ５６により搬送され、タイミングローラ５１によって感光体ドラム４１上のトナー像との位置合わせのための同期が取られて転写領域に給送される。
【００３１】
感光体ドラム４１上に形成された前記トナー像は、転写手段４５により反対極性に帯電された用紙Ｐ側に転写される。
【００３２】
転写処理後の用紙Ｐは分離除電手段４６の作用により感光体ドラム４１から分離し、定着手段６に搬送され、加熱ローラ４７４と加圧ローラ４７５との加熱、加圧作用によりトナー画像が用紙Ｐ上に定着された後、排紙トレイ５７に排出される。
【００３３】
また、トナー画像の用紙Ｐへの転写を終えた感光体ドラム４１の表面は、クリーニング手段４８により残留トナーが除去されて次なる画像形成に向けての準備がなされる。
【００３４】
図２は画像形成装置の制御関係を示すブロック図である。
画像形成装置本体Ａの制御手段である制御手段Ｃ１は、ＣＰＵ（ＣＰＵ１）およびメモリＭ１を有するコンピュータであり、各種の制御手段とは、入出力ポート、シリアルあるいはパラレルの通信用インターフェイス等適宜なインターフェイスにて接続されている。自動原稿送り装置Ｆの制御手段Ｃ２も同様であり、前記制御手段Ｃ１とは、本例では通信手段としてのシリアルインターフェイスにて接続されている。なお、本発明の説明に関係しないブロックについては、図においては省略されている。
【００３５】
図３は図１の画像形成装置の上部に位置する自動原稿送り装置Ｆを示したものである。また、図４は前記自動原稿送り装置Ｆの上面図である。
【００３６】
原稿載置トレイ２１１に載置された原稿サイズを検知するための第１原稿サイズ検知手段ＤＳ１は、原稿検知センサＰＳ１０、ＰＳ２０、ＰＳ３０の三つのセンサを有している。
【００３７】
前記原稿検知センサＰＳ１０、およびＰＳ２０は光学センサであって、ＰＳＤ（Ｐｏｓｉｔｉｏｎ  Ｓｅｎｓｉｎｇ  Ｄｅｖｉｃｅ）を用いたものである。ＰＳＤは、光源から投光されたスポット光の原稿Ｄの面による反射光を受光し、その受光面上の受光位置によりＰＳＤから原稿面までの距離を測定することができる。
【００３８】
図５はＰＳＤにより原稿面までの距離を検知する原稿検知センサＰＳ１０、およびＰＳ２０を説明するための模式図である。
【００３９】
図５（１）にて示されるように、ＰＳＤの共通電極Ｌ０と電極Ｌ１、Ｌ２との間に電位差を設け、受光面にスポット光が入射すると、前記電極Ｌ１、Ｌ２にはそれぞれ電流Ｉ１、Ｉ２が流れる。前記スポット光が入射した位置とＰＳＤ受光面と原稿面までの距離は幾何学的には、図５（１）にて示される関係にある。従って、ＰＳＤの受光面でのスポット光の位置が決定されれば、ＰＳＤの受光面と原稿面までの距離が検知できることになる。
【００４０】
図５（２）は、上記の関係をグラフにて示したもので、前記電流Ｉ１、Ｉ２を測定して得られた値を演算処理することにより前記距離を求めている。
Ｘ＝α（Ｉ１＋Ｉ２）／（Ｉ１−Ｉ２）
Ｘ：センサ面から原稿面までの距離
Ｉ１：出力電流１
Ｉ２：出力電流２
α：光学系による常数
以上の説明で明らかなように、原稿載置トレイ２１１に設けられた原稿検知センサＰＳ１０、ＰＳ２０は、それぞれの原稿検知センサ取り付け位置の上部にて原稿Ｄが浮いている状態にあっても原稿Ｄの存在を検知することができると同時に、浮きの量も検知することができる。
【００４１】
従って、一般的に使用されている反射型光学センサの代わりにＰＳＤを用いることにより、浮きの多い原稿に対しても原稿載置トレイ上での正確な原稿イサイズ検知が可能となり、後述する原稿サイズ検知のためのみに行う原稿搬送の発生頻度を減少させることができ、結果として画像形成装置の処理能力の低下が防止される。
【００４２】
載置された原稿Ｄの幅方向のサイズは、ユーザが原稿Ｄの幅方向の規制をするために幅規制ガイド２２０を移動させて固定した位置を検知することによって検知される。
【００４３】
その検知は、幅方向に中心線を挟んで対称に移動する幅規制ガイド２２０にスライド抵抗（不図示）を接続して、幅規制ガイドの移動と共に前記スライド抵抗のスライド部をスライドさせ、スライド部が停止した位置の抵抗値、もしくは電圧値を電気的に検知して、検知された抵抗値、もしくは電圧値より予め、制御部Ｃ１のメモリ内に設定されているテーブルを基に、幅規制ガイドの停止位置を求めることによりなされる。
【００４４】
原稿載置トレイ２１１に載置された原稿Ｄのサイズは、第１原稿サイズ検知手段ＤＳ１を構成する上述の３つの原稿検知センサＰＳ１０、ＰＳ２０、ＰＳ３０からの情報により決定することができる。例えば、原稿検知センサＰＳ３０が原稿載置トレイ上の原稿幅がＡ４の長手方向の寸法であると検知した場合、原稿検知センサＰＳ１０が原稿を検知しておらず、原稿検知センサＰＳ２０が原稿を検知していた場合には、原稿サイズはＡ４であり、もし原稿検知センサＰＳ１０、ＰＳ２０が共に原稿の検知をしていた場合にはＡ３とする。これらは、既に多くの画像形成装置にて採用されている一般的な技術手段である。
【００４５】
ところが、Ｚ折りされた原稿をはじめ、中心部や端部に大きな浮きのある原稿の場合には、原稿載置トレイ２１１に設けられた原稿検知センサと原稿面との距離が大きくなるので、一般に採用されている反射型の光学センサにて原稿を検知することが困難になる。この問題を解決するために、多くは第２原稿サイズ検知手段ＤＳ２として原稿検知センサを原稿搬送路上に設けて、搬送路を走る原稿Ｄの送り方向の長さを測定した結果と、第１原稿サイズ検知手段ＤＳ１の原稿検知センサＰＳ３０から得た原稿幅情報とから原稿サイズの決定を行う方法が採用されている。
【００４６】
しかしながら、上述の方法は、原稿の送り方向のサイズを検知するための原稿搬送を行い、原稿サイズを検知した後に、再度、原稿画像読み取りのための原稿搬送を行うために、画像形成作業における処理速度を著しく低下させる結果となる。
【００４７】
原稿サイズ読み取りのための搬送動作とは次のようなものである。
先ず、原稿Ｄは原稿載置トレイ２１１から通常の原稿画像読み取りが行われる原稿搬送路に沿って搬送され、途中、第２原稿サイズ検知手段ＤＳ２にて原稿Ｄの送り方向のサイズが検知されて、先端部は原稿排紙トレイ２１２まで進行し、第１搬送ローラ２５に原稿Ｄの終端部が挟持された状態で停止する。なお、原稿Ｄが停止する位置は、前記第２原稿サイズ検知手段ＤＳ１にて原稿Ｄの終端が検知された後、第１搬送ローラ２５を駆動するパルスモータ（不図示）が予め制御手段Ｃ１のメモリＭ２に設定されているパルス数にて停止することにより決まる。
【００４８】
第２原稿サイズ検知手段ＤＳ２によるサイズ検知がなされた前記原稿Ｄは、第１搬送ローラ２５が逆転することにより、原稿Ｄの終端が切り替わった反転ガイドＧ２に案内されて原稿反転部に進行し、先端部が反転ローラ２９に挟持された状態で停止する。なお、停止位置は、原稿画像読み取り部の近傍に設けられた原稿検知センサＰＳ２が逆進する原稿Ｄの先端を検知して、上述した場合と同様に、第１搬送ローラ２５を駆動するパルスモータが設定されたパルス数にて停止することにより決まる。
【００４９】
一旦停止した原稿Ｄは反転ローラ２９が逆転することにより、再度、第１搬送ローラ２５に向けて搬送され、原稿画像読み取り部にて原稿画像の読み取りがなされ、原稿排紙トレイ２１２に排出される。
【００５０】
以上の説明にて明らかなように、原稿サイズ検知を搬送路で行う場合には、原稿画像読み取りを１回余分に行うような時間が費やされることになり、画像形成装置の処理能力が著しく低下する。
【００５１】
さらなる問題として、このような原稿載置トレイにおける載置状態で原稿サイズ検知ができないと思われる原稿に対しては、ユーザが予め操作表示手段にて適宜なモード選択をしなければならないということがある。ところが、実際には、原稿のわずかな浮きの変動により、原稿検知センサによる検知結果は変動するので、ユーザによるモード選択をする際の判断は簡単なものではない。
【００５２】
本発明は、既に説明したように、先ず第１原稿サイズ検知手段による原稿サイズ検知能力を向上させることにより、前述のような搬送路に設けられた第２原稿サイズ検知手段を用いた原稿サイズ検知の発生頻度を減少させることによって、画像形成装置の処理能力の低下を防止すると共に、上述のような画像形成作業を行うに際して、載置した原稿の折り形状、原稿の浮きについてユーザが適宜な判断をして、予め所定のモード選択をしなければならないという作業を以下のようにして省いている。
【００５３】
即ち、原稿載置トレイ２１１に設けられた第１原稿サイズ検知手段ＤＳ１にて原稿サイズを確実に検知できた原稿Ｄについては、その検知情報を採用し、原稿Ｄの存在は検知したが、原稿検知センサＰＳ１０、あるいはＰＳ２０と原稿との距離が予め設定されていた距離よりも大きい場合には、原稿幅については第１原稿検知センサの原稿検知センサＰＳ３０から得られた情報を基に、原稿の送り方向の寸法については原稿搬送路に設けられた第２原稿検知手段ＤＳ２である原稿検知センサＰＳ４０から得られた情報を基にして原稿サイズを検知するようにするものである。
【００５４】
図６は、原稿サイズ検知のための情報選択をする手順を示すフローチャートである。
【００５５】
先ず、原稿載置トレイ２１１に載置された原稿Ｄは、第１原稿検知手段ＤＳ１を構成している原稿検知センサＰＳ１０、ＰＳ２０、ＰＳ３０により原稿検知が行われる（Ｓ１１）。ＰＳ１０による原稿検知の結果、原稿載置トレイ２１１の原稿載置面とほぼ同一の面上に位置する原稿検知センサＰＳ１０の受光面と原稿面との距離Ｘ１が、予めテーブルにて設定されている値ＴＭ１に比較して、Ｘ１＞ＴＭ１の場合には、原稿検知センサＰＳ１０の上部には原稿が存在せず（Ｓ２１）、ＴＬ１＜Ｘ１＜ＴＭ１の場合には原稿が原稿検知センサＰＳ１０の上部にサイズ検知不適な程度の浮いた状態にあると判断する（Ｓ３１）。また、Ｘ１＜ＴＬ１の場合には原稿検知センサＰＳ１０の上部に適切な状態で載置されていると判断して次のセンサＰＳ２０による検知結果の判定に移る（Ｓ１３）。
【００５６】
原稿検知センサＰＳ２０においては、原稿検知センサＰＳ１０の場合と同様に、原稿検知センサＰＳ２０の受光面と原稿面との距離Ｘ２が、Ｘ２＞ＴＭ２の場合には、原稿検知センサＰＳ２０の上部には原稿が存在せず（Ｓ２２）、ＴＬ２＜Ｘ２＜ＴＭ２の場合には原稿ＤがＰＳ２０の上部にサイズ検知不適な程度の浮いた状態にある（Ｓ３２）、また、Ｘ２＜ＴＬ２の場合には原稿検知センサＰＳ２０の上部に適切な状態で載置されていると判断して、第１原稿サイズ検知手段を構成する原稿検知センサＰＳ１０、２０、３０のデータを基に原稿サイズを決定する（Ｓ１６）。
【００５７】
原稿検知センサＰＳ１０、あるいはＰＳサ２０にて原稿が浮いていると判定された場合には（Ｓ３１、Ｓ３２）、自動原稿搬送装置Ｆの制御手段Ｃ２は、第２原稿サイズ検知手段ＤＳ２による原稿の送り方向のサイズを検知するための原稿搬送を行う（Ｓ３３）。前記原稿搬送により得られた第２原稿サイズ検知手段ＤＳ２から送られた原稿の送り方向のサイズ情報は、既に第１原稿サイズ検知手段ＤＳ２の原稿の幅方向のサイズを検知する原稿検知センサＰＳ３０により得られているサイズ情報と組み合わせられ、原稿のサイズが決定される（Ｓ３４）。
【００５８】
なお、図６のフローチャートに示される設定値ＴＭ１、ＴＭ２、ＴＬ１、ＴＬ２は、自動原稿送り装置Ｆの制御手段Ｃ２のメモリＭ２にテーブルの形でストアされているが、これらの設定値はユーザが画像形成装置本体Ａの操作表示手段８、もしくは自動原稿送り装置Ｆの操作表示手段８０を用いて、それらの値を変更することができる。これにより、ユーザが使用する原稿に最適な判断基準を設定することができる。
【００５９】
【発明の効果】
本発明により、原稿載置トレイに載置された原稿が浮いた状態にあっても原稿のサイズを原稿載置トレイ上にて検知される。また、原稿の浮きの程度が原稿サイズの検知に不適と判断された場合、原稿搬送路に設けられた第２の原稿サイズ検知手段からの情報を、自動的に採用することにより正確な原稿サイズの検知がなされると共に、ユーザが行わなければならない画像形成作業における原稿サイズ検知のためのモード設定作業を省略することができ、操作の容易化が達成される。
【図面の簡単な説明】
【図１】画像形成装置を説明するための模式図である。
【図２】画像形成装置の制御関係を示すブロック図である。
【図３】自動原稿送り装置を示す模式図である。
【図４】自動原稿送り装置の上面図である。
【図５】ＰＳＤによる原稿検知センサを説明するための図である。
【図６】原稿サイズ検知のための情報選択の手順を示すフローチャートである。
【符号の説明】
３  原稿画像読み取り手段
４  画像書き込み手段
５  画像形成手段
６  定着手段
７  給紙手段
２１１  原稿載置トレイ
２１２  原稿排紙トレイ
２２０  幅規制ガイド
Ａ  画像形成装置本体
Ｂ  自動原稿送り装置
Ｄ  原稿
Ｐ  用紙
Ｃ１  制御手段
Ｃ２  制御手段
Ｇ１  排紙ガイド
Ｇ２  反転ガイド
ＤＳ１  第１原稿サイズ検知手段
ＤＳ２  第２原稿サイズ検知手段
ＰＳ２  原稿検知センサ
ＰＳ１０  原稿検知センサ
ＰＳ２０  原稿検知センサ
ＰＳ３０  原稿検知センサ
ＰＳ４０  原稿検知センサ
【図１】
2004347926.tif 000003
【図２】
2004347926.tif 000004
【図３】
2004347926.tif 000005
【図４】
2004347926.tif 000006
【図５】
2004347926.tif 000007
【図６】
2004347926.tif 000008